(57)【要約】【課題】ホルダーに挿入されたディスクカートリッジに対する負荷の軽減を図る。【解決手段】装着位置と挿脱位置との間を移動可能とされロック部２１を有するホルダー６と、ディスクカートリッジ１００のホルダーに対する挿入方向及び排出方向に摺動自在に支持された被支持部２４、ディスクカートリッジのホルダーへの挿入時にディスクカートリッジに押圧されディスクカートリッジのホルダーからの排出時にディスクカートリッジを押圧する作用部２６及び被支持部に対して弾性変形可能な弾性変形部２５を有し、ロック部にロックされる被ロック部２５ｂが弾性変形部に設けられたイジェクトレバー２３と、該イジェクトレバーを排出方向へ付勢する付勢バネ２８と、被ロック部のロックを解除するロック解除手段２９とを設け、イジェクトレバーにカム摺接部２４ｂを設け、ロック解除手段に、ホルダーが装着位置へ向けて移動されるときにカム摺接部が摺接されてイジェクトレバーを挿入方向へ移動させるカム部２９ａを設けた。【選択図】　　　　　図１０
2004118961.tif 000002
【特許請求の範囲】
【請求項１】
メカシャーシに配置されたディスクテーブルに装着されて回転されるディスク状記録媒体がケース体の内部に回転可能に収納されて成るディスクカートリッジのイジェクト機構であって、
ディスク状記録媒体がディスクテーブルに装着される装着位置とディスクカートリッジの挿入又は排出が為される挿脱位置との間を移動可能とされると共にロック部を有するホルダーと、
ディスクカートリッジのホルダーに対する挿入方向及び排出方向に摺動自在に支持された被支持部と、ディスクカートリッジのホルダーへの挿入時にディスクカートリッジに押圧されディスクカートリッジのホルダーからの排出時にディスクカートリッジを押圧する作用部と、被支持部に対して弾性変形可能な弾性変形部とを有し、ディスクカートリッジが挿脱位置にあるホルダーに挿入されたときにホルダーのロック部にロックされる被ロック部が弾性変形部に設けられたイジェクトレバーと、
該イジェクトレバーを上記排出方向へ付勢する付勢バネと、
上記ホルダーが装着位置から挿脱位置へ向けて移動されるときにイジェクトレバーの弾性変形部を変形させて被ロック部のロック部に対するロックを解除するロック解除手段とを備え、
上記イジェクトレバーにカム摺接部を設け、
上記ロック解除手段に、上記ホルダーが挿脱位置から装着位置へ向けて移動されるときにカム摺接部が摺接されて上記イジェクトレバーを上記挿入方向へ移動させるカム部を設けた
ことを特徴とするイジェクト機構。
【請求項２】
上記ホルダーが挿脱位置から装着位置へ向けて移動するときに、イジェクトレバーの作用部を上記ディスクカートリッジから離隔するようにした
ことを特徴とする請求項１に記載のイジェクト機構。
【請求項３】
上記ロック解除手段に、上記ホルダーが装着位置に移動されたときに上記イジェクトレバーを保持する保持部を設けた
ことを特徴とする請求項１に記載のイジェクト機構。
【請求項４】
外筐内に配置されたメカシャーシと、ケース体の内部にディスク状記録媒体が回転可能に収納されて成るディスクカートリッジの当該ディスク状記録媒体が装着されるディスクテーブルと、該ディスクテーブルに装着されたディスク状記録媒体に対して情報信号の記録及び／又は再生を行う記録再生部とを備えたディスク記録及び／又は再生装置であって、
ディスク状記録媒体がディスクテーブルに装着される装着位置とディスクカートリッジの挿入又は排出が為される挿脱位置との間を移動可能とされると共にロック部を有するホルダーと、
ディスクカートリッジのホルダーに対する挿入方向及び排出方向に摺動自在に支持された被支持部と、ディスクカートリッジのホルダーへの挿入時にディスクカートリッジに押圧されディスクカートリッジのホルダーからの排出時にディスクカートリッジを押圧する作用部と、被支持部に対して弾性変形可能な弾性変形部とを有し、ディスクカートリッジが挿脱位置にあるホルダーに挿入されたときにホルダーのロック部にロックされる被ロック部が弾性変形部に設けられたイジェクトレバーと、
該イジェクトレバーを上記排出方向へ付勢する付勢バネと、
上記ホルダーが装着位置から挿脱位置へ向けて移動されるときにイジェクトレバーの弾性変形部を変形させて被ロック部のロック部に対するロックを解除するロック解除手段とを備え、
上記イジェクトレバーにカム摺接部を設け、
上記ロック解除手段に、上記ホルダーが挿脱位置から装着位置へ向けて移動されるときにカム摺接部が摺接されて上記イジェクトレバーを上記挿入方向へ移動させるカム部を設けた
ことを特徴とするディスク記録及び／又は再生装置。
【請求項５】
上記ホルダーが挿脱位置から装着位置へ向けて移動するときに、上記イジェクトレバーの作用部を上記ディスクカートリッジから離隔するようにした
ことを特徴とする請求項４に記載のディスク記録及び／又は再生装置。
【請求項６】
上記ロック解除手段に、上記ホルダーが装着位置に移動されたときに上記イジェクトレバーを保持する保持部を設けた
ことを特徴とする請求項４に記載のディスク記録及び／又は再生装置。
【発明の詳細な説明】
【０００１】
【発明の属する技術分野】
本発明はイジェクト機構並びにディスク記録及び／又は再生装置に関する。詳しくは、ホルダーに挿入されたディスクカートリッジに対する負荷の軽減を図る技術分野に関する。
【０００２】
【従来の技術】
ディスク状記録媒体に対して情報信号の記録若しくは記録された信号の再生又は記録と再生の双方を行うことができるディスク記録及び／又は再生装置があり、このようなディスク記録及び／又は再生装置には、ケース体の内部に、例えば、直径が約６４ｍｍのディスク状記録媒体が回転可能に収納されて成るディスクカートリッジを用いるものがある。
【０００３】
上記のようなディスクカートリッジを用いるディスク記録及び／又は再生装置にあっては、情報信号の記録又は再生が終了したときに、ホルダーに保持されているディスクカートリッジをイジェクトするためのイジェクト機構が設けられている。
【０００４】
図１６乃至図１９にディスクカートリッジ及び従来のディスク記録及び／又は再生装置におけるイジェクト機構の一例を概略的に示す。
【０００５】
尚、以下の説明において方向を示すときには、ディスクカートリッジがホルダーに挿入される方向を後方とし、ディスクカートリッジがホルダーから取り出される方向を前方として説明する。従って、ディスクカートリッジがホルダーに対して挿脱される方向を前後方向として説明する。また、左方及び右方は、ディスクカートリッジが挿入されるホルダーの挿入口に使用者が対峙した状態における方向で説明する。
【０００６】
ディスクカートリッジｘは、ケース体ｙ内に図示しないディスク状記録媒体が回転可能に収納されて成る。ケース体ｙの下面には、前後に離隔して位置決め穴ｚ１、ｚ２が形成されている（図１６参照）。
【０００７】
ディスク記録及び／又は再生装置は外筐内に所要の各部材及び各機構が配置されて成り、外筐内には図示しないディスクテーブルや記録再生部として機能する光ピックアップ等が設けれたメカシャーシａが配置されている（図１６参照）。
【０００８】
メカシャーシａには、その前端部と後端部にそれぞれ上方へ突出された位置決めピンｂ、ｃが設けられている。位置決めピンｂ、ｃはディスクテーブルに装着されるディスクカートリッジｘのメカシャーシａに対する位置決めを行うためのものであり、それぞれディスクカートリッジｘのケース体ｙに形成された位置決め穴ｚ１、ｚ２に挿入される。
【０００９】
メカシャーシａには、その後端部を支点としてホルダーｄが回動自在に支持されており、該ホルダーｄの右側面部ｅにイジェクトレバーｆが略前後方向に摺動自在に支持されている（図１６及び図１７参照）。
【００１０】
ホルダーｄの右側面部ｅには、前後に離隔してバネ掛け突部ｇとロック部ｈとが設けられている。
【００１１】
イジェクトレバーｆは、前後方向に長い被支持部ｉと、前後方向に長く被支持部ｉに連続された弾性変形部ｊと、被支持部ｉの後端部から左方へ突出された作用部ｋと、弾性変形部ｊの前端部から下方へ突出された突出部ｌとが一体に形成されて成る。
【００１２】
弾性変形部ｊは被支持部ｉに対して略上下方向へ弾性変形可能とされている。弾性変形部ｊの前端部にはバネ掛け部ｍが設けられ、該バネ掛け部ｍの直ぐ後側に被ロック部ｎが形成されている。
【００１３】
突出部ｌの下端部には外方へ突出された係合突部ｏが設けられている。
【００１４】
ホルダーｄのバネ掛け突部ｇとイジェクトレバーｆのバネ掛け部ｍとの間には付勢バネ（引張コイルバネ）ｐが張設され、該付勢バネｐによってイジェクトレバーｆが前方へ付勢されている。
【００１５】
ホルダーｄの右側面部ｅの外面側にはロック解除部材ｑが配置されている。ロック解除部材ｑは、上下に延びる基部ｒと該基部ｒの上端部から前方へ突出された係合部ｓとを有している。
【００１６】
ホルダーｄにディスクカートリッジｘが挿入される前の状態においては、ホルダーｄはメカシャーシａに対して前端部が上方に位置するように所定の角度開いており、イジェクトレバーｆは付勢バネｐの付勢力によって移動範囲における前端に位置されている（図１６参照）。
【００１７】
ホルダーｄにディスクカートリッジｘが前方から挿入されていくと、ディスクカートリッジｘによってイジェクトレバーｆの作用部ｋが押圧されてイジェクトレバーｆが付勢バネｐの付勢力に抗して後方へ移動されていき、イジェクトレバーｆの被ロック部ｎがホルダーｄのロック部ｈに係合されてイジェクトレバーｆが移動範囲における後端においてホルダーｄにロックされる（図１８参照）。
【００１８】
ディスクカートリッジｘが挿入されたホルダーｄがメカシャーシａに近づく方向へ回動されると、ディスクカートリッジｘのケース体ｙに形成された位置決め穴ｚ１、ｚ２にメカシャーシａの位置決めピンｂ、ｃがそれぞれ挿入されていき、ディスクカートリッジｘがメカシャーシａに対して位置決めされる（図１９参照）。このときイジェクトレバーｆの突出部ｌはロック解除部材ｑの内側を通って下方へ移動されていく。
【００１９】
ホルダーｄがメカシャーシａに近づく方向へ回動されることにより、ディスクカートリッジｘのディスク状記録媒体がメカシャーシａに配置されたディスクテーブルに装着される。ディスク状記録媒体がディスクテーブルに装着されると、該ディスクテーブルの回転に伴ってディスク状記録媒体が回転されると共に光ピックアップ等の駆動によってディスク状記録媒体に対する情報信号の記録又は再生が行われる。
【００２０】
ディスク状記録媒体に対する情報信号の記録又は再生が終了し、ホルダーｄがメカシャーシａから離隔する方向へ回動されると、イジェクトレバーｆの突出部ｌに設けられた係合突部ｏがロック解除部材ｑの係合部ｓに下方側から係合される。係合突部ｏが係合部ｓに係合されると弾性変形部ｊの移動が規制されるため、ホルダーｄの回動に伴って弾性変形部ｊが被支持部ｉに対して下方側へ変形され、イジェクトレバーｆの被ロック部ｎとホルダーｄのロック部ｈとの係合が解除され、イジェクトレバーｆが付勢バネｐの付勢力によって前方へ移動される。
【００２１】
イジェクトレバーｆの前方への移動により、作用部ｋによってディスクカートリッジｘが前方へ押圧され、ホルダーｄからディスクカートリッジｘの一部が排出されてイジェクト動作が完了する。
【００２２】
【発明が解決しようとする課題】
ところで、ディスクカートリッジｘが挿入されるホルダーｄは、ディスクカートリッジｘの良好な挿入性を確保するために、左右方向における幅及び上下方向における幅がディスクカートリッジｘのそれらより稍大きく形成されている。従って、ディスクカートリッジｘをホルダーｄに挿入する際には、ディスクカートリッジｘがホルダーｄに対して傾いた状態で挿入される場合がある。
【００２３】
例えば、図２０に示すように、ディスクカートリッジｘの右側の後端が右側の前端よりも右側に位置されるように傾いた状態で挿入された場合には、ディスクカートリッジｘの後面の左端Ｌがディスク記録及び／又は再生装置の内部に位置する後方側の壁面ｔに当接した位置まで挿入可能であるが、このように左端Ｌが壁面ｔに当接した状態においてもイジェクトレバーｆがホルダーｄにロックされている必要がある。
【００２４】
従って、ディスク記録及び／又は再生装置にあっては、左端Ｌが壁面ｔに当接した状態において、ホルダーｄのロック部ｈにイジェクトレバーｆの被ロック部ｎが係合されているように、ロック部ｈの位置と被ロック部ｎの位置とが設定されている。
【００２５】
ところが、上記のように、左端Ｌが壁面ｔに当接した状態を基準としてイジェクトレバーｆがホルダーｄにロックされる位置が設定されているため、従来のディスク記録及び／又は再生装置にあっては、ディスクカートリッジｘがホルダーｄに挿入された状態において、ディスクカートリッジｘはディスク状記録媒体がディスクテーブルに装着される位置よりも稍手前側に位置されるようになっている。
【００２６】
従って、ディスクカートリッジｘが挿入されたホルダーｄがメカシャーシａに近づく方向へ回動されて、メカシャーシａの位置決めピンｂ、ｃがディスクカートリッジｘの位置決め穴ｚ１、ｚ２に挿入されるときに、位置決めピンｂ、ｃが位置決め穴ｚ１、ｚ２の内面にこすれてしまい、ディスクカートリッジｘのケース体ｙや位置決めピンｂ、ｃが傷付いたり削れてしまうおそれがある。
【００２７】
また、ディスク状記録媒体がディスクテーブルに装着された状態においても、付勢バネｐの付勢力がイジェクトレバーｆの作用部ｋを介してディスクカートリッジｘに付与されているため、位置決めピンｂ、ｃを介してメカシャーシａに不必要な負荷を与えることになる。
【００２８】
そこで、本発明イジェクト機構並びにディスク記録及び／又は再生装置は、ホルダーに挿入されたディスクカートリッジに対する負荷の軽減を図ることを課題とする。
【００２９】
【課題を解決するための手段】
本発明イジェクト機構並びにディスク記録及び／又は再生装置は、上記した課題を解決するために、ディスク状記録媒体がディスクテーブルに装着される装着位置とディスクカートリッジの挿入又は排出が為される挿脱位置との間を移動可能とされると共にロック部を有するホルダーと、ディスクカートリッジのホルダーに対する挿入方向及び排出方向に摺動自在に支持された被支持部と、ディスクカートリッジのホルダーへの挿入時にディスクカートリッジに押圧されディスクカートリッジのホルダーからの排出時にディスクカートリッジを押圧する作用部と、被支持部に対して弾性変形可能な弾性変形部とを有し、ディスクカートリッジが挿脱位置にあるホルダーに挿入されたときにホルダーのロック部にロックされる被ロック部が弾性変形部に設けられたイジェクトレバーと、該イジェクトレバーを上記排出方向へ付勢する付勢バネと、上記ホルダーが装着位置から挿脱位置へ向けて移動されるときにイジェクトレバーの弾性変形部を変形させて被ロック部のロック部に対するロックを解除するロック解除手段とを設け、上記イジェクトレバーにカム摺接部を設け、上記ロック解除手段に、上記ホルダーが挿脱位置から装着位置へ向けて移動されるときにカム摺接部が摺接されて上記イジェクトレバーを上記挿入方向へ移動させるカム部を設けたものである。
【００３０】
従って、本発明イジェクト機構並びにディスク記録及び／又は再生装置にあっては、ホルダーが挿脱位置から装着位置へ向けて移動されるに従って付勢バネによるディスクカートリッジに対する負荷が低減されていく。
【００３１】
【発明の実施の形態】
以下に、本発明の実施の形態を添付図面に従って説明する。尚、以下に示した実施の形態は、ケース体に直径が約６４ｍｍのディスク状記録媒体が回転可能に収納されたディスクカートリッジが用いられ当該ディスク状記録媒体に対して情報信号の記録及び再生を行うことができるディスク記録及び／又は再生装置に適用したものである。
【００３２】
ディスク記録及び／又は再生装置１は、外筐２内に所要の各部材及び各機構が配置されて成り、外筐２は、上方に開放された薄い箱状をした本体ケース３と、該本体ケース３に後端部を支点として回動自在に支持され本体ケース３の開口面を開閉するカバー体４とから成る（図１及び図２参照）。
【００３３】
外筐２の本体ケース３内にはメカシャーシ５が配置されている（図２及び図３参照）。メカシャーシ５には後端部を支点としてホルダー６が回動自在に支持されている。ホルダー６は、カバー体４が本体ケース３に対して回動されるときに、ディスク状記録媒体を有する後述するディスクカートリッジを保持して当該ディスク状記録媒体を後述するディスクテーブルに装着する装着位置とディスクカートリッジの挿入又は排出が為される挿脱位置との間を移動する。
【００３４】
本体ケース３には、カバー体４を閉塞位置から開放位置へ向けて回動させて本体ケース３の開口面を開放するためのオープン摘子３ａと、各種の機器を接続するためのコネクター３ｂ、３ｂ、・・・が設けられている。
【００３５】
オープン摘子３ａは本体ケース３の前面部に沿って位置するロック片７に連動されており、オープン摘子３ａを右方、即ち、図２に示す矢印方向へスライド操作するとロック片７も右方へ移動される。
【００３６】
カバー体４には、音量の変更や再生動作を開始する等のための操作釦４ａ、４ａ、・・・が設けられている。
【００３７】
カバー体４の前端部の内面にはロック部材８が取り着けられており（図２参照）、該ロック部材８にロック片７が係合されることによりカバー体４が本体ケース３を閉塞する閉塞位置（図１参照）にロックされる。
【００３８】
オープン摘子３ａを右方へスライド操作するとロック片７がロック部材８から外れ、図示しないバネ部材の作用によってカバー体４が所定の角度だけ回動され、さらにカバー体４を把持して回動させることにより開放位置に至り本体ケース３の開口面が開放される（図２参照）。このときホルダー６は挿脱位置に至る。
【００３９】
カバー体４を図２に示す開放位置からケース体３の開口面を閉塞する方向へ向けて回動していくと、ロック片７がロック部材８に係合されカバー体４が閉塞位置にロックされる（図１参照）。このときホルダー６は装着位置に至る。
【００４０】
メカシャーシ５の下面側の中央部には図示しないスピンドルモーターが配置され、該スピンドルモーターのモーター軸の上端部にディスクテーブル９が固定されている（図３参照）。
【００４１】
メカシャーシ５には、ディスクテーブル９が配置された部分から右側縁にかけて開口部５ａが形成され、該開口部５ａに光ピックアップ（記録再生部）１０がディスクテーブル９に装着されるディスク状記録媒体の半径方向へ移動自在に支持されている（図３参照）。光ピックアップ１０は移動ベース１０ａ上に対物レンズ駆動装置１０ｂが支持されて成る。
【００４２】
メカシャーシ５には、前端部の右端部に上方へ突出された位置決めピン５ｂが設けられ、後端部の右端部に上方へ突出された位置決めピン５ｃが設けられている（図２及び図３参照）。位置決めピン５ｂ、５ｃは先細りの形状に形成され、位置決めピン５ｃは位置決めピン５ｂより高さが低くされている。
【００４３】
ホルダー６は板状の材料が所定の形状に折り曲げられることにより形成され、天板部１１と、該天板部１１の左右両側縁からそれぞれ垂設された側面部１２、１３と、側面部１２、１３の下縁からそれぞれ互いに近づく方向へ向けて突出された受け板部１４、１４とから成り、前端の開口が挿入口６ａとして形成されている（図４及び図５参照）。
【００４４】
ホルダー６の天板部１１には、左右に離隔して第１のバネ部１５、１５が設けられている（図４及び図５に一方のもののみ示す）。第１のバネ部１５、１５は、先端部が基端部より上方に位置するように切り起こし状に形成されている。
【００４５】
第１のバネ部１５、１５はカバー体４の下面に弾接され、カバー体４が開放位置に達したときには、ホルダー６をカバー体４から稍離隔させて挿脱位置に保持する作用を有する。ホルダー６が挿脱位置に保持されているときにはバネ部１５、１５によってホルダー６がカバー体４から稍離隔して位置されるため、ホルダー６に対するディスクカートリッジの挿入時及び取出時に該ディスクカートリッジがカバー体４の前端部に干渉することがない。また、カバー体４が閉塞位置に保持されているときには、カバー体４の下面に第１のバネ部１５、１５が弾接されることにより、ホルダー６がメカシャーシ５に押し付けられて装着位置に保持される。
【００４６】
ホルダー６の天板部１１には、左右に離隔して第２のバネ部１６、１６が設けられている（図４及び図５に一方のもののみ示す。）。第２のバネ部１６、１６は、先端部が基端部より下方に位置するように切り起こし状に形成されている。
【００４７】
第２のバネ部１６、１６はホルダー６に挿入されたディスクカートリッジの上面に弾接され、ディスクカートリッジをホルダー６内において受け板部１４、１４に押し付ける作用を有する。ホルダー６にディスクカートリッジが挿入された状態においては、第２のバネ部１６、１６によってディスクカートリッジが押し付けられるため、ホルダー６に保持されたディスクカートリッジのガタツキを防止することができる。
【００４８】
ホルダー６の側面部１２、１３の前端寄りの位置の上縁には、それぞれ外方へ向けて引掛片１７、１７が突出されている（図４及び図５に一方のもののみ示す。）。引掛片１７、１７は上記カバー体４に設けられた図示しない一対の引掛部にそれぞれ引っ掛けられるようになっている。即ち、ホルダー６が装着位置にあると共にカバー体４が閉塞位置にある状態から、カバー体４が上記したバネ部材の作用により所定の量だけ開放位置へ向けて回動されたところでカバー体４の引掛部がホルダー６の引掛片１７、１７をそれぞれ引っ掛け、そこからさらにカバー体４が開放位置へ向けて回動されるのに従ってホルダー６が挿脱位置へ向けて回動される。
【００４９】
ホルダー６の側面部１３には、引掛片１７の直ぐ後側にバネ掛け突部１８が切り起こし状に設けられている（図４及び図５参照）。側面部１３には、引掛片１７及びバネ掛け突部１８の直ぐ下側の位置に、側面部１３の一部を切り起こすことによりシャッター開閉バネ１９が設けられている。側面部１３の前後方向における略中央部には、内方へ突出されたロック解除片２０が設けられている。
【００５０】
側面部１３には、ロック解除片２０の直ぐ後側にロック部２１が設けられている（図４及び図５参照）。ロック部２１は右方へ突出された係合部２１ａと該係合部２１ａの先端縁から下方へ突出された押さえ部２１ｂとから成る。
【００５１】
ロック解除片２０の後側には、右方へ突出された支持ピン２２が設けられている（図４及び図５参照）。
【００５２】
側面部１３の後端側の部分には挿通孔１３ａが形成されている（図４及び図５参照）。
【００５３】
側面部１３にはイジェクトレバー２３が前後方向に摺動自在に支持されている（図４及び図５参照）。イジェクトレバー２３は、前後方向に長い被支持部２４と、該被支持部２４に連続し前後方向に長い弾性変形部２５と、被支持部２４の後端部から左方へ突出された作用部２６と、弾性変形部２５の前端部から下方へ突出された突出部２７とが一体に形成されて成る。
【００５４】
被支持部２４には前後方向に長い被支持孔２４ａが形成されている。被支持部２４の前縁には右方へ突出されたカム摺接部２４ｂが設けられている。
【００５５】
弾性変形部２５は被支持部２４に対して略上下方向へ弾性変形可能とされており、前端部に右方へ突出されたバネ掛け部２５ａが設けられ、その後側に前方及び上方に開口された切欠状の被ロック部２５ｂが形成されている。
【００５６】
突出部２７の下端部には右方へ突出された係合突部２７ａが設けられている。
【００５７】
イジェクトレバー２３は、被支持孔２４ａにホルダー６の支持ピン２２が挿通されることにより側面部１３に前後方向に摺動自在に支持される。イジェクトレバー２３が側面部１３に支持された状態においては、作用部２６が挿通孔１３ａを挿通されてホルダー６内に位置され、弾性変形部２５の一部がロック部２１の押さえ部２１ｂの内側に位置される。
【００５８】
イジェクトレバー２３のバネ掛け部２５ａと側面部１３のバネ掛け突部１８との間には付勢バネ２８が張設され、該付勢バネ２８によってイジェクトレバー２３が前方へ付勢される。
【００５９】
バネ掛け突部１８はバネ掛け部２５ａより稍上側に位置されているため、付勢バネ２８は前端部が後端部より稍上方に位置するように張設されている。従って、イジェクトレバー２３は付勢バネ２８によって前方へ付勢される他、前端部が上方へ移動される方向へも付勢されている。
【００６０】
ホルダー６の側面部１３の直ぐ右側の位置にはロック解除手段２９が配置されている（図４及び図５参照）。ロック解除手段２９は、上下に延びる基部３０と該基部３０の上端部から前方へ突出された係合部３１とを有し、基部３０と係合部３１との連続部分に上斜め後方を向く前上がりに傾斜されたカム部２９ａが形成されている。基部３０の後縁は保持部３０ａとして形成され、その上端がカム部２９ａに連続されている。係合部３１には、その上縁から右斜め上方へ向けて突出された案内片３１ａが設けられている。
【００６１】
ディスクカートリッジ１００は、矩形の扁平な箱状をしたケース体１０１内にディスク状記録媒体１０２が回転可能に収納されて成る（図２参照）。ケース体１０１の下面の中央部には図示しない中心孔が形成され、該中心孔の側方に図示しない透過孔が形成されている。
【００６２】
ケース体１０１には、透過孔を開閉するシャッター１０３がスライド自在に支持されている。ケース体１０１のシャッター１０３が支持された側の側面には、前後方向に延びる溝１０１ａが形成されている。ケース体１０１の下面には、その前端部及び後端部にそれぞれ位置決め穴１０１ｂ、１０１ｃが形成されている。
【００６３】
シャッター１０３の側面部には係合孔１０３ａが形成されている。シャッター１０３は、透過孔を閉塞した状態において、ケース体１０１内に設けられた図示しないロック機構によってロックされている。
【００６４】
以下に、ディスク記録及び／又は再生装置１の動作について説明する。
【００６５】
図１に示す状態はカバー体４がロックされて閉塞位置にあり本体ケース３の開口面が閉塞された状態であり、この状態でディスク状記録媒体１０２に対する情報信号の記録及び再生が為され、また、記録又は再生が終了した直後の停止時もこの状態である。
【００６６】
停止時において、図１に示す状態からオープン摘子３ａを右方へ操作すると、上記したように、カバー体４のロックが解除されるため、カバー体４を開放位置まで回動することによりホルダー６を図６に示す挿脱位置に保持することができる。このときイジェクトレバー２３は移動範囲における前端に位置されている（図６参照）。
【００６７】
挿脱位置において、ディスクカートリッジ１００をホルダー６内に挿入する。ディスクカートリッジ１００をホルダー６内に挿入していくと、ホルダー６の側面部１３に設けられたロック解除片２０が相対的にディスクカートリッジ１００の溝１０１ａ内を前方へ移動され、シャッター１０３のロックが解除される。引き続きロック解除片２０がシャッター１０３の一端縁を前方へ押圧することにより該シャッター１０３が開放されていく。このときディスクカートリッジ１００の側面がシャッター開閉バネ１９に摺接され、その後、シャッター開閉バネ１９が係合孔１０３ａに係合される。
【００６８】
上記のように、ディスクカートリッジ１００をホルダー６内に挿入していくと、シャッター１０３のロックが解除されると共にシャッター開閉バネ１９が係合孔１０３ａに係合されるため、ケース体１０１がシャッター１０３に対して後方へ移動されシャッター１０３がスライドされて透過孔が開放されていく。このときディスクカートリッジ１００がイジェクトレバー２３の作用部２６に当接され（図６参照）、さらにディスクカートリッジ１００がホルダー６内に挿入されることにより、ディスクカートリッジ１００によって作用部２６が後方へ押圧され、イジェクトレバー２３が付勢バネ２８の付勢力に抗して後方へ移動されていく。
【００６９】
ディスクカートリッジ１００のホルダー６内への挿入によりイジェクトレバー２３が移動範囲における後端寄りの位置まで移動されると、ロック部２１の係合部２１ａの後縁がイジェクトレバー２３の被ロック部２５ｂに対応して位置される（図７参照）。このとき、上記したように、イジェクトレバー２３は付勢バネ２８によって前端部が上方へ移動される方向へも付勢されているため、イジェクトレバー２３が僅かに上方へ変位されてロック部２１に被ロック部２５ｂが係合され、イジェクトレバー２３がホルダー６にロックされる。
【００７０】
次に、カバー体４を本体ケース３に近づく方向へ回動させ該本体ケース３の開口面を閉塞していくと、カバー体４の回動に伴ってホルダー６も回動され、イジェクトレバー２３が略下方へ移動されていく。イジェクトレバー２３が略下方へ移動されていくと、カム摺接部２４ｂがロック解除手段２９のカム部２９ａに当接される（図８及び図９参照）。このときイジェクトレバー２３の突出部２７は、係合突部２７ａがロック解除手段２９の案内片３１ａに案内されて、ロック解除手段２９の内側を通って下方へ移動される。
【００７１】
さらにホルダー６が回動されてイジェクトレバー２３が略下方へ移動されていくと、カム摺接部２４ｂがカム部２９ａに摺接され、イジェクトレバー２３がホルダー６に対して後方へ移動されていく（図１０及び図１１参照）。このときイジェクトレバー２３の被ロック部２５ｂがホルダー６のロック部２１から後方へ離隔されるため、イジェクトレバー２３のホルダー６に対するロックは解除される。
【００７２】
イジェクトレバー２３がホルダー６に対して後方へ移動されることにより、イジェクトレバー２３の作用部２６がディスクカートリッジ１００から後方へ離隔される。従って、ディスクカートリッジ１００に対する作用部２６を介しての付勢バネ２８による負荷が生じなくなる。
【００７３】
このときディスクカートリッジ１００のケース体１０１に形成された位置決め穴１０１ｂ、１０１ｃにメカシャーシ５の位置決めピン５ｂ、５ｃがそれぞれ挿入されていく。位置決め穴１０１ｂ、１０１ｃに位置決めピン５ｂ、５ｃがそれぞれ挿入されていくときには、上記したように、ディスクカートリッジ１００に対する付勢バネ２８による負荷が生じていないため、ディスクカートリッジ１００はホルダー６内において前後方向へ自由に移動可能な状態にあり、位置決めピン５ｂ、５ｃが位置決め穴１０１ｂ、１０１ｃに円滑に挿入されていく。
【００７４】
ホルダー６がさらに回動されてイジェクトレバー２３が略下方へ移動されていくと、カム摺接部２４ｂがカム部２９ａから基部３０の保持部３０ａに係合され、イジェクトレバー２３のホルダー６に対する後方への移動が停止される（図１２及び図１３参照）。カム摺接部２４ｂが保持部３０ａに係合されることにより、イジェクトレバー２３がロック解除手段２９によって移動範囲における後方側の移動端に保持される。
【００７５】
このようにイジェクトレバー２３が後方へ移動されたときに保持される保持部３０ａをロック解除手段２９に設けているため、部品点数の増加及び製造コストの増大を来たすことなく、動作の適正化を図ることができる。
【００７６】
イジェクトレバー２３がロック解除手段２９によって保持された状態においては、ディスクカートリッジ１００の位置決め穴１０１ｂ、１０１ｃに位置決めピン５ｂ、５ｃがそれぞれ挿入されて位置決めが完了されており、カバー体４が閉塞位置に至りホルダー６が装着位置に至っている。ホルダー６が装着位置に至った状態において、ディスクカートリッジ１００はディスク状記録媒体１０２がケース体１０１の下面の中心孔を挿通されたディスクテーブル９に装着されている。
【００７７】
ディスク状記録媒体１０２がディスクテーブル９に装着されると、該ディスクテーブル９の回転に伴ってディスク状記録媒体１０２が回転されると共に光ピックアップ１０の駆動によってケース体１０１の下面の透過孔を介してレーザー光がディスク状記録媒体１０２の記録面に照射され、例えば、情報信号の再生が行われる。
【００７８】
ディスク状記録媒体１０２に対する情報信号の再生が終了し、カバー体４が本体ケース３の開口面を開放する方向へ回動されホルダー６がメカシャーシ５から離隔する方向へ回動されると、イジェクトレバー２３は略上方へ移動されていく。このときディスクカートリッジ１００の位置決め穴１０１ｂ、１０１ｃから位置決めピン５ｂ、５ｃがそれぞれ引き出されていく。
【００７９】
ホルダー６がメカシャーシ５から離隔する方向へ回動されるときには、イジェクトレバー２３のカム摺接部２４ｂがロック解除手段２９の基部３０の保持部３０ａを経てカム部２９ａに摺接されるため、イジェクトレバー２３は前方へ移動され再び被ロック部２５ｂがホルダー６のロック部２１に係合されてロックされる（図１４参照）。
【００８０】
このときイジェクトレバー２３の突出部２７に設けられた係合突部２７ａがロック解除手段２９の係合部３１の下縁に係合され、弾性変形部２５の移動が規制されている。従って、ホルダー６がさらにメカシャーシ５から離隔する方向へ回動されると、ホルダー６の回動に伴って弾性変形部２５が被支持部２４に対して下方側へ変形され（図１５参照）、イジェクトレバー２３の被ロック部２５ｂとホルダー６のロック部２１との係合が解除され、イジェクトレバー２３が付勢バネ２８の付勢力によって前方へ移動される。
【００８１】
イジェクトレバー２３の前方への移動により、作用部２６によってディスクカートリッジ１００が前方へ押圧され、ホルダー６からディスクカートリッジ１００の一部が排出されてイジェクト動作が完了する。
【００８２】
使用者は、排出されたディスクカートリッジ１００の一部を把持して手前側に引き抜くことによりホルダー６からディスクカートリッジ１００を取り出すことができる。
【００８３】
以上に記載した通り、ディスク記録及び／又は再生装置１にあっては、ホルダー６が挿脱位置から装着位置へ向けて回動されるときに、イジェクトレバー２３が後方へ移動されるようにしている。
【００８４】
従って、ホルダー６が挿脱位置から装着位置へ向けて回動されるときにディスクカートリッジ１００に対する作用部２６を介しての付勢バネ２８による負荷が付与されず、位置決めピン５ｂ、５ｃの位置決め穴１０１ｂ、１０１ｃの内面に対するこすれによるケース体１０１及び位置決めピン５ｂ、５ｃの傷付きや削れを防止することができる。
【００８５】
また、ディスク状記録媒体１０１がディスクテーブル９に装着された状態において、付勢バネ２８の付勢力によるディスクカートリッジ１００に付与される負荷が付与されないため、位置決めピン５ｂ、５ｃを介してのメカシャーシ５に対する不必要な負荷をなくすことができる。
【００８６】
尚、例えば、直径が約６４ｍｍのディスク状記録媒体を有するディスクカートリッジとしては、一般に、ミニディスクと称されるものが存在するが、このミニディスクの規格内において、製品によって前後方向、即ち、ホルダーに対する挿入方向における長さが、最大で０．６ｍｍ程度の寸法差が許容されている。
【００８７】
そこで、上記したディスク記録及び／又は再生装置１にあっては、最大限許容される寸法差を考慮して、挿入方向における長さが最大のミニディスクがホルダー６に挿入されたときでも、位置決めピン５ｂ、５ｃが位置決め穴１０１ｂ、１０１ｃの内面と接するときに、ディスクカートリッジ１００に対する作用部２６を介しての付勢バネ２８による負荷が付与されないように設定されている。
【００８８】
従って、規格内において挿入方向における長さが任意の寸法を有する何れのディスクカートリッジがホルダー６に挿入されたときでも、ケース体１０１及び位置決めピン５ｂ、５ｃの傷付きや削れを防止することができる。
【００８９】
尚、上記には、本発明を、カバー体４がケース体３に対して回動されカバー体４の回動に伴ってホルダー６が回動されるタイプのディスク記録及び／又は再生装置１に適用した例を説明したが、本発明は、カバー体がケース体に対して垂直方向へ移動されカバー体４の移動に伴ってホルダー６が垂直方向へ移動されるタイプのディスク記録及び／又は再生装置に適用することもできる。
【００９０】
上記した実施の形態において示した各部の形状及び構造は、何れも本発明の実施に際しての具体化のほんの一例を示したものに過ぎず、これらによって、本発明の技術的範囲が限定的に解釈されることがあってはならないものである。
【００９１】
【発明の効果】
以上に記載したところから明らかなように、本発明イジェクト機構は、メカシャーシに配置されたディスクテーブルに装着されて回転されるディスク状記録媒体がケース体の内部に回転可能に収納されて成るディスクカートリッジのイジェクト機構であって、ディスク状記録媒体がディスクテーブルに装着される装着位置とディスクカートリッジの挿入又は排出が為される挿脱位置との間を移動可能とされると共にロック部を有するホルダーと、ディスクカートリッジのホルダーに対する挿入方向及び排出方向に摺動自在に支持された被支持部と、ディスクカートリッジのホルダーへの挿入時にディスクカートリッジに押圧されディスクカートリッジのホルダーからの排出時にディスクカートリッジを押圧する作用部と、被支持部に対して弾性変形可能な弾性変形部とを有し、ディスクカートリッジが挿脱位置にあるホルダーに挿入されたときにホルダーのロック部にロックされる被ロック部が弾性変形部に設けられたイジェクトレバーと、該イジェクトレバーを上記排出方向へ付勢する付勢バネと、上記ホルダーが装着位置から挿脱位置へ向けて移動されるときにイジェクトレバーの弾性変形部を変形させて被ロック部のロック部に対するロックを解除するロック解除手段とを備え、上記イジェクトレバーにカム摺接部を設け、上記ロック解除手段に、上記ホルダーが挿脱位置から装着位置へ向けて移動されるときにカム摺接部が摺接されて上記イジェクトレバーを上記挿入方向へ移動させるカム部を設けたことを特徴とする。
【００９２】
従って、ホルダーが挿脱位置から装着位置へ向けて回動されるときにディスクカートリッジに対する作用部を介しての付勢バネによる負荷が軽減されるため、位置決めピンの位置決め穴の内面に対するこすれによるケース体及び位置決めピンの傷付きや削れを防止することができる。
【００９３】
また、ディスク状記録媒体がディスクテーブルに装着された状態において、付勢バネの付勢力によるディスクカートリッジに付与される負荷が軽減されているため、メカシャーシに対するディスクカートリッジ及び位置決めピンを介しての不必要な負荷を軽減することができる。
【００９４】
請求項２に記載した発明にあっては、上記ホルダーが挿脱位置から装着位置へ向けて移動するときに、イジェクトレバーの作用部を上記ディスクカートリッジから離隔するようにしたので、ディスクカートリッジに対する作用部を介しての付勢バネによる負荷が付与されず、ケース体及び位置決めピンの傷付きや削れを確実に防止することができる。
【００９５】
請求項３に記載した発明にあっては、上記ロック解除手段に、上記ホルダーが装着位置に移動されたときに上記イジェクトレバーを保持する保持部を設けたので、部品点数の増加及び製造コストの増大を来たすことなく、動作の適正化を図ることができる。
【００９６】
本発明ディスク記録及び／又は再生装置は、外筐内に配置されたメカシャーシと、ケース体の内部にディスク状記録媒体が回転可能に収納されて成るディスクカートリッジの当該ディスク状記録媒体が装着されるディスクテーブルと、該ディスクテーブルに装着されたディスク状記録媒体に対して情報信号の記録及び／又は再生を行う記録再生部とを備えたディスク記録及び／又は再生装置であって、ディスク状記録媒体がディスクテーブルに装着される装着位置とディスクカートリッジの挿入又は排出が為される挿脱位置との間を移動可能とされると共にロック部を有するホルダーと、ディスクカートリッジのホルダーに対する挿入方向及び排出方向に摺動自在に支持された被支持部と、ディスクカートリッジのホルダーへの挿入時にディスクカートリッジに押圧されディスクカートリッジのホルダーからの排出時にディスクカートリッジを押圧する作用部と、被支持部に対して弾性変形可能な弾性変形部とを有し、ディスクカートリッジが挿脱位置にあるホルダーに挿入されたときにホルダーのロック部にロックされる被ロック部が弾性変形部に設けられたイジェクトレバーと、該イジェクトレバーを上記排出方向へ付勢する付勢バネと、上記ホルダーが装着位置から挿脱位置へ向けて移動されるときにイジェクトレバーの弾性変形部を変形させて被ロック部のロック部に対するロックを解除するロック解除手段とを備え、上記イジェクトレバーにカム摺接部を設け、上記ロック解除手段に、上記ホルダーが挿脱位置から装着位置へ向けて移動されるときにカム摺接部が摺接されて上記イジェクトレバーを上記挿入方向へ移動させるカム部を設けたことを特徴とする。
【００９７】
従って、ホルダーが挿脱位置から装着位置へ向けて回動されるときにディスクカートリッジに対する作用部を介しての付勢バネによる負荷が軽減されるため、位置決めピンの位置決め穴の内面に対するこすれによるケース体及び位置決めピンの傷付きや削れを防止することができる。
【００９８】
また、ディスク状記録媒体がディスクテーブルに装着された状態において、付勢バネの付勢力によるディスクカートリッジに付与される負荷が軽減されているため、メカシャーシに対するディスクカートリッジ及び位置決めピンを介しての不必要な負荷を軽減することができる。
【００９９】
請求項５に記載した発明にあっては、上記ホルダーが挿脱位置から装着位置へ向けて移動するときに、上記イジェクトレバーの作用部をディスクカートリッジから離隔するようにしたので、ディスクカートリッジに対する作用部を介しての付勢バネによる負荷が付与されず、ケース体及び位置決めピンの傷付きや削れを確実に防止することができる。
【０１００】
請求項６に記載した発明にあっては、上記ロック解除手段に、上記ホルダーが装着位置に移動されたときに上記イジェクトレバーを保持する保持部を設けたので、部品点数の増加及び製造コストの増大を来たすことなく、動作の適正化を図ることができる。
【図面の簡単な説明】
【図１】図２乃至図１４と共に本発明の実施の形態を示すものであり、本図はカバー体が閉塞位置にある状態のディスク記録及び／又は再生装置を示す斜視図である。
【図２】カバー体が開放位置にある状態のディスク記録及び／又は再生装置をディスクカートリッジとともに示す斜視図である。
【図３】ディスク記録及び／又は再生装置の内部構成を示す概略斜視図である。
【図４】イジェクト機構を示す拡大分解斜視図である。
【図５】イジェクト機構を示す拡大斜視図である。
【図６】図７乃至図１４と共にイジェクト機構の動作を示すものであり、本図はホルダーにディスクカートリッジが挿入された状態を示す概略側面図である。
【図７】図６に引き続きイジェクトレバーがホルダーにロックされた状態を示す概略側面図である。
【図８】図７に引き続きホルダーが装着位置へ向けて回動された状態を示す概略側面図である。
【図９】図８の要部を示す拡大側面図である。
【図１０】図８に引き続きホルダーが装着位置へ向けて回動され、イジェクトレバーが後方へ移動されている途中の状態を示す概略側面図である。
【図１１】図１０の要部を示す拡大側面図である。
【図１２】図１０に引き続きホルダーが装着位置へ向けて回動され、イジェクトレバーがロック解除手段に保持された状態を示す概略側面図である。
【図１３】図１２の要部を示す拡大側面図である。
【図１４】ホルダーが挿脱位置へ向けて回動されたときに再びイジェクトレバーがホルダーにロックされた状態を示す拡大側面図である。
【図１５】図１４に引き続きイジェクトレバーのホルダーに対するロックが解除される直前の状態を示す拡大側面図である。
【図１６】図１７乃至図１９と共に従来のディスク記録及び／又は再生装置におけるイジェクト機構を示すものであり、本図はホルダーにディスクカートリッジが挿入された状態を示す概略側面図である。
【図１７】拡大斜視図である。
【図１８】イジェクトレバーがホルダーにロックされた状態を示す概略側面図である。
【図１９】図１８に引き続きホルダーが挿脱位置から装着位置へ向けて回動されている途中の状態を示す概略側面図である。
【図２０】従来の問題点を説明するための概念図である。
【符号の説明】
１…ディスク記録及び／又は再生装置、２…外筐、５…メカシャーシ、６…ホルダー、９…ディスクテーブル、１０…光ピックアップ（記録再生部）、２１…ロック部、２３…イジェクトレバー、２４…被支持部、２４ｂ…カム摺接部、２５…弾性変形部、２５ｂ…被ロック部、２６…作用部、２８…付勢バネ、２９…ロック解除手段、２９ａ…カム部、３０ａ…保持部、１００…ディスクカートリッジ、１０１…ケース体、１０２…ディスク状記録媒体
【図１】
2004118961.tif 000003
【図２】
2004118961.tif 000004
【図３】
2004118961.tif 000005
【図４】
2004118961.tif 000006
【図５】
2004118961.tif 000007
【図６】
2004118961.tif 000008
【図７】
2004118961.tif 000009
【図８】
2004118961.tif 000010
【図９】
2004118961.tif 000011
【図１０】
2004118961.tif 000012
【図１１】
2004118961.tif 000013
【図１２】
2004118961.tif 000014
【図１３】
2004118961.tif 000015
【図１４】
2004118961.tif 000016
【図１５】
2004118961.tif 000017
【図１６】
2004118961.tif 000018
【図１７】
2004118961.tif 000019
【図１８】
2004118961.tif 000020
【図１９】
2004118961.tif 000021
【図２０】
2004118961.tif 000022